(57)【要約】【課題】製品の購入後も自由にキーの種類、機能や配置を自由に追加できることができ、誰でも簡単に所望の調理メニューの選択や調理設定ができる構成とした調理器を提供すること。【解決手段】ユーザーが希望する機能等を記載し、調理器の外郭に装着されるラベル９と、ユーザーがこのラベル９を操作したときに位置情報を検出するためのセンサ１０と、予め特殊操作により上記ラベル９の機能情報と上記センサによる位置情報とを記憶したメモリ１１と、通常操作においてユーザーがこのラベルを操作すると上記センサにより操作入力を検出し、メモリ内容に基づいて調理器を制御する制御部１２から構成しているので、製品の購入後も自由にキーの種類、機能や配置を自由に追加できることができ、誰でも簡単に所望の調理メニューの選択や調理設定ができる。【選択図】図１
2007017011.tif 000002
【特許請求の範囲】
【請求項１】
調理器のメニューや操作設定内容等を表記した装着可能なラベルと、調理器の外郭部へ装着した前記ラベルへの外部操作入力を検出するセンサと、前記ラベルに対応した動作機能情報と前記センサ情報とを予め記憶したメモリと、前記センサにより外部操作入力を検出すると前記メモリ情報に基づき調理器を制御する制御部とを備えた調理器。
【請求項２】
センサは、調理器のドア周囲にフォトセンサで構成した請求項１に記載の調理器。
【請求項３】
メモリへの記憶は、操作部の所定の操作手順で行うことを特徴とした請求項１に記載の調理器。
【請求項４】
メモリは、不揮発性メモリを使用することを特徴とした請求項１または２に記載の調理器。
【発明の詳細な説明】
【技術分野】
【０００１】
本発明は、調理器の購入時の初期設定状態からユーザーが自由に操作キーを増やし、機能を拡張できるようにした調理器に関するものである。
【背景技術】
【０００２】
近年の調理器は、電子レンジ機能、解凍機能、オーブン機能、グリル機能、スチーム機能等あらゆる機能が一つ調理器に集約搭載される方向にあるが、高機能化する反面で操作性が悪くなり、十分に機能を発揮できない状況となっている。そこで操作性を向上させるために以下のような発明が提案されている。
【０００３】
従来この種の調理器は、使用者の年齢や好みによってキー配置構成を可変できるようにしたものがある（例えば、特許文献１参照）。
【０００４】
図７は、特許文献１に記載された従来の電子機器及び加熱調理器を示すものである。図６に示すように加熱動作制御とキー配置を切り替える制御を行う制御部１と、複数のキーが配置されている操作部２と、この操作部のキーからの信号に基づきそれぞれが異なる指令信号を出力するための複数の指令信号プログラムや動作プログラムを記憶する記憶部４と、指令信号プログラムの切り替え操作部としての切り替えスイッチ５と、各種表示を行う表示部６とマグネトロン等の加熱動作部７とから構成されており、切り替えスイッチ５の操作に基づき、製品の製造時に予め準備されたキー配置を実現できるようにしている。
【０００５】
図８と図９に加熱操作部の例を示すが、切り替えスイッチ５の操作により予め準備された図７あるいは図８の加熱操作部に切り替えられるようにしている。例えば図７の右上のキー８は、「あたため」の加熱動作としているが、図８では、右上のキーは「自動メニュー」の加熱動作になるようにしている。
【特許文献１】特開平８−３２８７２０号公報
【発明の開示】
【発明が解決しようとする課題】
【０００６】
しかしながら、前記従来の構成では、製造者が製品の開発製造時に予め何種類かの加熱操作部のキー配置をメモりに記憶させ、準備された中からの選択であり、ユーザーが自由に操作キーの機能、配置を追加できないという課題を有していた。
【０００７】
本発明は、前記従来の課題を解決するもので、ユーザーが自由にキーの種類、機能や配置等を追加できるようにし、操作性を向上した調理器を提供することを目的とする。
【課題を解決するための手段】
【０００８】
前記従来の課題を解決するために、本発明の調理器は、調理器のメニューや操作設定内容等を表記した装着可能なラベルと、調理器の外郭部へ装着した前記ラベルへの外部操作入力を検出するセンサと、前記ラベルに対応した動作機能情報と前記センサ情報とを予め記憶したメモリと、前記センサにより外部操作入力を検出すると前記メモリ情報に基づき調理器を制御する制御部とを備え、ユーザーが製品の購入後も自由にキーの種類（機能）、数や配置等を自由にできるようにしたものである。
【０００９】
これによって、ユーザーが好みのメニューや操作機能を記載したラベルを調理器の外郭に装着し、事前の所定の操作に基づき、上記のラベルに対応した動作機能情報とセンサによる位置情報とをメモリに記憶させておき、その後は外部操作入力をセンサが検出すると
このメモリに基づき制御することにより、製品の購入後も自由にキーの種類、機能や配置を自由に追加できることになる。
【００１０】
また、本発明の調理器は、フォトセンサを調理器のドア部周囲に構成しラベルの装着位置情報を検出する構成としたものである。これによって、ドア全面に操作キーを配置でき、操作キーを格段に増やすことができるようになる。
【００１１】
また、本発明の調理器は、メモリへの記憶を操作部の所定の操作手順で行うようにしているので、ユーザーが簡単に操作キーを増やすことができる。
【００１２】
また、本発明の調理器は、メモリを不揮発性メモリを使用しているので電源オフされてもユーザーが一度設定した操作キーの記憶を保持でき、使い勝手がよくなる。
【発明の効果】
【００１３】
本発明の調理器は、製品の購入後にユーザーが自由にキーの種類（機能）、数や配置等を追加できるようにし、操作性を向上することができる。
【発明を実施するための最良の形態】
【００１４】
第１の発明は、調理器のメニューや操作設定内容等を表記した装着可能なラベルと、調理器の外郭部へ装着した前記ラベルへの外部操作入力を検出するセンサと、前記ラベルに対応した動作機能情報と前記センサ情報とを予め記憶したメモリと、前記センサにより外部操作入力を検出すると前記メモリ情報に基づき調理器を制御する制御部とを備え、ユーザーが製品の購入後も自由にキーの種類（機能）、数や配置等を自由にできるようにしたものである。
【００１５】
これによって、ユーザーが好みのメニューや操作機能を記載したラベルを調理器の外郭に装着し、事前の所定の操作に基づき、上記のラベルに対応した動作機能情報とセンサによる位置情報とをメモリに記憶させておき、その後は外部操作入力をセンサが検出するとこのメモリに基づき制御することにより、製品の購入後も自由にキーの種類、機能や配置を自由に追加できることになる。
【００１６】
第２の発明は、特に第１の発明センサをフォトセンサとし、調理器のドア部周囲に構成しラベルの装着位置情報を検出する構成としたものであり、これによって、ドア全面に操作キーを配置でき、操作キーを格段に増やすことができるようになる。
【００１７】
第３の発明は、特に第１の発明のメモリへの記憶を操作部の所定の操作手順で行うようにしているので、ユーザーが簡単に操作キーを増やすことができる。
【００１８】
第４の発明は、特に第１の発明のメモリを不揮発性メモリを使用しているので、電源オフされてもユーザーが一度設定した操作キーの記憶を保持でき、使い勝手がよくなる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における調理器の概要図を示すものである。
【００２１】
図１において、ユーザーが希望する機能等を記載し、調理器の外郭に装着されるラベル９と、ユーザーがこのラベル９を操作したときに位置情報を検出するためのセンサ１０と、予め特殊操作により上記ラベル９の機能情報と上記センサによる位置情報とを記憶した
メモリ１１と、通常操作においてユーザーがこのラベルを操作すると上記センサにより操作入力を検出し、メモリ内容に基づいて調理器を制御する制御部１２から構成している。以上のように構成された調理器について以下に動作作用を説明する。
【００２２】
これによって、ユーザーが好みのメニューや操作機能を記載したラベルを調理器の外郭に装着し、事前の特殊操作により、上記のラベルに対応した動作機能情報とセンサによる位置情報とをメモリに記憶させておき、その後は外部操作入力をセンサが検出するとこのメモリに基づき制御することにより、製品の購入後も自由にキーの種類、機能や配置を自由に追加できることになる。
【００２３】
図２において、電子レンジを具体的な事例に説明する。基本構成として、調理物を収納するオーブン本体１３と、調理物の出し入れを行うドア部１４とこのドア部に付属するガラス部１５と調理基本操作を行う操作部１６から構成されている。上記ガラス部１５の周囲には、赤外線を発する発光ダイオード群１０−１と光の有無を検出するフォトトランジスタ群１０−２とが配置されている。操作部１６は、メニュー選択を行うメニュー選択キー１７と、オーブン調理温度を設定するための温度設定手段１８と、調理時間を設定するための時間設定手段１９と、上記選択設定状態や調理進行状態を表示するための表示部２０から構成されている。また、ユーザーにより新しく作成された“解凍”ラベルをガラス部１５に装着されている。そして図示していないが前述のメモリ１１および制御部１２に関しては、オーブン本体１３の機械室に構成されており、前述の構成としている。
【００２４】
図３にガラス部１５の周囲に構成しているセンサ構成図を示す。発光ダイオード群１０−１は、ｘ０１、ｘ０２・・およびｙ０１、ｙ０２・・に配置し、またフォトトランジスタ群１０−２は、発光ダイオードに対抗する位置にｘｉ１、ｘｉ２・・およびｙｉ１、ｙｉ２・・を配置し、ガラス平面全体を検出できるように構成している。たとえば、図示している“解凍”の操作領域は、フォトトランジスタ群１０−２のｘｉ６〜ｘｉ９とｙｉ４、ｙｉ５で囲まれた領域をユーザーが触れると検出されるということになる。また、ここではガラス部１５の周囲に設けた事例としたが、ドア部１４の周囲に設け、操作部１６を含めた構成でもよい。
【００２５】
図４は、センサ信号を検出するための制御部１２を示している。この制御部１２は、発光ダイオードを駆動するための駆動回路１０−１−１と、センサ信号を受信するための受信回路１０−２−１と、この駆動回路および受信回路を制御する制御部に含まれるマイコン１９から構成されている。また、同様に駆動回路１０−１−２、受信回路１０―２−２のように複数個設けることによりガラス部全体を検出できるようにしている。
【００２６】
以上のように構成された調理器について、以下その動作、作用を説明する。
【００２７】
まず、ドア部のガラス部に設けられた調理メニューや調理温度設定をユーザーが触ると周囲に取り付けられた発光ダイオードの光が遮断されフォトセンサにその遮断された信号が入力される。この信号は制御部１２に送信され、どこの領域すなわち何の表示を押されたか検出することができることになる。
【００２８】
以上のように、本実施の形態においてはドア部に付属するガラス面にラベルを装着すると周囲に構成されたセンサによりラベルの位置情報を検出することができ、ユーザーは、購入後もガラス面に自由に操作キーを追加できることになる。
【００２９】
また、本実施の形態では、センサに発光ダイオードとフォトセンサにより構成したが、静電容量式あるいは表面弾性波等により構成することも可能である。
【００３０】
図５に予め追加されるラベル情報をメモリ記憶させるための構成を示している。ユーザーが新規に機能追加をするためにまず、ガラス部１５にラベル９を装着する。次に操作部１６よりその機能を入力し制御部１２に情報を転送する。一方、装着されたラベル９はセンサ１０により位置情報を制御部１２に転送する。そして制御部１２よりメモリ１１に上記機能情報と位置情報をメモリに転送し記憶させる。
【００３１】
図６は、予め追加されるラベル情報を記憶させるための手順を示すフローチャートである。まず、ユーザーによりラベルを追加する（Ｓ２２）。例として解凍機能を追加する。次に操作部上のメモリキーを押し（Ｓ２３）、機能追加をする指示を制御部１２に転送する。Ｓ２４では、操作部により解凍を行うためにレンジキーで出力の弱を設定する。Ｓ２５では、解凍の仕上がり温度を設定する。次にラベルを押し（Ｓ２６）、位置情報を確定する。最後に操作部上のメモリキーを押し（Ｓ２７）機能追加の確定を制御部１２に転送する。
【００３２】
以上のようにメモリへの記憶を操作部の所定の操作手順で行うようにしているので、ユーザーが簡単に操作キーを増やすことができるのである。
【００３３】
また、メモリは、不揮発性のメモリとしているのでユーザーが電源プラグを抜いても記憶保持できるようにしている。
【産業上の利用可能性】
【００３４】
以上のように、本発明にかかる調理器は、製品の購入後も自由にキーの種類、機能や配置を自由に追加できるので、電子レンジやＩＨ調理器、洗濯機等の用途にも広く適用できる。
【図面の簡単な説明】
【００３５】
【図１】本発明の実施の形態１における調理器の概略図
【図２】本発明の実施の形態１における調理器の構成図
【図３】本発明の実施の形態１における調理器のセンサ構成図
【図４】本発明の実施の形態１における調理器のセンサ回路図
【図５】本発明の実施の形態１における調理器のメモリ回路図
【図６】本発明の実施の形態２における調理器のメモリ手順を示すフローチャート
【図７】従来例１の調理器の構成図
【図８】従来例１の調理器の操作部図
【図９】従来例２の調理器の操作部図
【符号の説明】
【００３６】
９  ラベル
１０  センサ
１１  メモリ
１２  制御部
【図１】
2007017011.tif 000003
【図３】
2007017011.tif 000004
【図４】
2007017011.tif 000005
【図５】
2007017011.tif 000006
【図６】
2007017011.tif 000007
【図７】
2007017011.tif 000008
【図８】
2007017011.tif 000009
【図９】
2007017011.tif 000010
【図２】
2007017011.tif 000011